(57)【要約】      （修正有）【課題】構造がコンパクトで、外観が斬新で美しいＬＥＤ照明器具を提供する。【解決手段】放熱器８、電源接続モジュール、光源モジュール６、レンズモジュールを有するＬＥＤ照明器具であり、光源モジュール６は放熱器８の一端８０１の端面上に設置され、レンズモジュールは光源モジュール６をカバーするように設置され、かつ放熱器８と接続され、電源接続モジュールは放熱器８の他端８０２に設置される。電源接続モジュール、光源モジュール６、レンズモジュールはそれぞれ放熱器８上に取り付けられている。【選択図】図３
0003209691.tif 000002
【実用新案登録請求の範囲】
【請求項１】
放熱器、光源モジュール、レンズモジュール、電源接続モジュールを有し、
前記光源モジュールが前記放熱器の一端の端面上に設置され、前記レンズモジュールが前記光源モジュールをカバーするように設置され、かつ前記放熱器と接続され、
前記電源接続モジュールが前記放熱器の他端に設置される、
ことを特徴とするＬＥＤ照明器具。
【請求項２】
前記放熱器の軸方向にセンターホールが設置され、前記センターホールの両端が貫通する、
ことを特徴とする請求項１に記載のＬＥＤ証明器具。
【請求項３】
前記光源モジュールが基板と前記基板上に設置される発光素子を有し、
前記基板が前記放熱器の一端の端面上に固定され、
更に前記基板が環状を呈する、
ことを特徴とする請求項２に記載のＬＥＤ証明器具。
【請求項４】
前記レンズモジュールが、
前記光源モジュールをカバーするように設置され、環状を呈するレンズと、
前記レンズの外周を締め付けるための外周用回転カバーと、
前記レンズの内周を締め付けるための内周用回転カバーと、
を有することを特徴とする請求項２又は３に記載のＬＥＤ照明器具。
【請求項５】
前記外周用回転カバーの内側壁上に第四ねじが設置され、
前記放熱器の外縁に第五ねじが設置され、
前記外周用回転カバーが前記レンズの外縁に押圧されるように設置され、かつ前記第四ねじと第五ねじを介して前記放熱器と接続される、
ことを特徴とする請求項４に記載のＬＥＤ証明器具。
【請求項６】
前記レンズの外縁に第一シール溝に設置され、前記第一シール溝内に第一シールリングが設置され、前記外周用回転カバーが前記レンズの外縁を押圧するように設置され、前記第四と第五ねじを介して固定的に接続される、
ことを特徴とする請求項５に記載のＬＥＤ証明器具。
【請求項７】
前記内周用回転カバーの外側壁上に第六ねじが設置され、前記放熱器のセンターホールの内側壁上に第七ねじが設置され、前記内周用回転カバーが前記レンズの内縁を押圧するように設置され、かつ前記第六ねじと第七ねじを介して前記放熱器と接続される、
ことを特徴とする請求項４又は請求項５又は請求項６に記載のＬＥＤ照明器具。
【請求項８】
前記レンズの内縁に第二シール溝が設置され、前記第二シール溝内に第二シールリングが設置され、前記内周用回転カバーが前記レンズ内縁を押圧するように設置され、前記第六と第七ねじを介して固定的に接続される、
ことを特徴とする請求項７に記載のＬＥＤ照明器具。
【請求項９】
前記レンズ上に複数の突起が設置され、前記突起と前記光源モジュール上の発光素子が一対一で対応し、前記突起が前記発光素子をカバーするように設置され配光する、
ことを特徴とする請求項４に記載のＬＥＤ証明器具。
【請求項１０】
前記電源接続モジュールが、
一端が前記センターホール内に設置され、中空構造であって、中空部をルーティング又は部品の設置に用いることが可能なコネクティングロッドと、
前記センターホールに伸びる前記コネクティングロットの他端と接続されるソケットと、を含む、
ことを特徴とする請求項２に記載のＬＥＤ証明器具。
【請求項１１】
前記センターホール光源モジュールから遠い側の一端の内側壁上にホールの中心方向に向かって伸びる環状段部が設置され、
前記コネクティングロッドの一端の端部に外周に向かって伸びる環状突起が設置され、
前記コネクティングロッドの他端がセンターホール環状段部から遠い側の一端から挿入され、
前記コネクティングロッドの一端上の環状突起が前記環状段部に嵌合し、かつ接続部品を介して固定される、
ことを特徴とする請求項１０に記載のＬＥＤ照明器具。
【請求項１２】
前記電源接続モジュールが更に装飾カバーを有し、前記装飾カバーが前記センターホール内に設置され、前記装飾カバーが前記環状突起の端面上に押圧されるように設置され、かつ接続部品を介して接続される、
ことを特徴とする請求項１０に記載のＬＥＤ照明器具。
【請求項１３】
前記ソケットが一端が開放される蓋状構造を呈し、
前記ソケットの内側壁上に第一ねじが設置され、
前記コネクティングロッドの他端の外側壁上に前記第一ねじに対応する第二ねじが設置され、
前記ソケットが前記第一ねじと第二ねじを介して接続され、
前記ソケットの外側壁上に更に電気接続を実現するための第三ねじが設置される、
ことを特徴とする請求項１０に記載のＬＥＤ照明器具。
【請求項１４】
前記コネクティングロッドと前記ソケットの接続部分の間に、更に防振ゴムパッキンが設置される、
ことを特徴とする請求項１０に記載のＬＥＤ照明器具。
【請求項１５】
前記放熱器が放熱器本体と前記放熱器本体の外周上に周方向に配置される複数のフィンを有し、
前記フィンが前記放熱器の軸方向の縦方向に沿って伸びるように設置される、
ことを特徴とする請求項１に記載のＬＥＤ証明器具。
【請求項１６】
更に前記フィン内にスルーホールが設置され、前記光源モジュールの電線が前記スルーホールを介して前記電源接続モジュール内に貫通する、
ことを特徴とする請求項１５に記載のＬＥＤ照明器具。
【考案の詳細な説明】
【技術分野】
【０００１】
本考案は照明装置設計の技術分野に関わるものであり、具体的にはＬＥＤ照明器具に関わるものである。
【背景技術】
【０００２】
国際社会において炭素排出が規制され、また省エネや排出削減が提唱されるようになり、人々が代替光源を模索する中で、ＬＥＤ光源が代替の候補となりつつある。ＬＥＤ光源は、指向性の高い発光、発光効率の益々の向上、益々の廉価化、省エネ、環境保護等、従来の光源とは異なる優位性を備え、技術の発展に伴い、これらの特長は唯一無二の優位性を体現し、ＬＥＤライト使用の将来性は極めて明るい。
【０００３】
既存のＬＥＤ照明器具の形状は画一的で、その構造もコンパクトであるとは言えず、更に既存のＬＥＤ照明器具には放熱不足、密封性能に劣る、電源ルーティングのハウジング外部への露出等の問題も有った。
【考案の概要】
【０００４】
背景技術において提示した問題につき、本考案は放熱器、光源モジュール、レンズモジュール、電源接続モジュールを有し、前記光源モジュールが前記放熱器の一端の端面上に設置され、前記レンズモジュールが前記光源モジュールをカバーするように設置され、かつ前記放熱器と接続され、前記電源接続モジュールが前記放熱器の他端に設置される、ＬＥＤ照明器具を提供する。
【０００５】
好ましくは、前記放熱器の軸方向にセンターホールが設置され、前記センターホールの両端が貫通する。
【０００６】
好ましくは、前記光源モジュールが基板と前記基板上に設置される発光素子を有し、前記基板が前記放熱器の一端の端面上に固定され、更に、前記基板が環状を呈する。
【０００７】
好ましくは、前記レンズモジュールが、
前記光源モジュールをカバーするように設置され、環状を呈するレンズと、前記レンズの外周を締め付けるための外周用回転カバーと、
前記レンズの内周を締め付けるための内周用回転カバーと、を有する。
【０００８】
好ましくは、前記外周用回転カバーの内側壁上に第四ねじが設置され、前記放熱器の外縁に第五ねじが設置され、前記外周用回転カバーが前記レンズの外縁に押圧されるように設置され、かつ前記第四ねじと第五ねじを介して前記放熱器と接続される。
【０００９】
好ましくは、前記レンズの外縁が第一シール溝に設置され、前記第一シール溝内に第一シールリングが設置され、前記外周用回転カバーが前記レンズ外縁上に押圧されるように設置され、前記第四と第五ねじを介して固定的に接続される。
【００１０】
好ましくは、前記内周用回転カバーの外側壁上に第六ねじが設置され、前記放熱器のセンターホールの内側壁上に第七ねじが設置され、前記内周用回転カバーが前記レンズの内縁に押圧されるように設置され、かつ前記第六ねじと第七ねじを介して前記放熱器と接続される。
【００１１】
好ましくは、前記レンズの内縁に第二シール溝が設置され、前記第二シール溝内に第二シールリングが設置され、前記内周用回転カバーが前記レンズ内縁上に押圧されるように設置され、前記第六と第七ねじを介して固定的に接続される。
【００１２】
好ましくは、前記レンズ上に複数の突起が設置され、前記突起と前記光源モジュール上の発光素子が一対一で対応し、前記突起が前記発光素子をカバーするように設置され配光する。
【００１３】
好ましくは、前記電源接続モジュールが、
一端が前記センターホール内に設置され、中空構造であって、中空部をルーティング又は部品の設置に用いることが可能なコネクティングロッドと、
前記センタホールの他端からセンターホールが伸び出して接続されるソケットと、を含む。
【００１４】
好ましくは、前記センターホール光源モジュールから遠い側の一端の内側壁上にホールの中心方向に向かって伸びる環状段部が設置され、前記コネクティングロッドの一端の端部に外周に向かって伸びる環状突起が設置され、前記コネクティングロッドの他端がセンターホール環状段部から遠い側の一端から挿入され、前記コネクティングロッドの一端上の環状突起が前記環状段部に嵌合し、かつ接続部品を介して固定される。
【００１５】
好ましくは、前記電源接続モジュールが更に装飾カバーを有し、前記装飾カバーが前記センターホール内に設置され、前記装飾カバーが前記環状突起の端面上に押圧され、かつ接続部品を介して接続される。
【００１６】
好ましくは、前記ソケットが一端の開放された蓋状構造を呈し、前記ソケットの内側壁上に第一ねじが設置され、前記コネクティングロッドの他端の外側壁上に前記第一ねじに対応する第二ねじが設置され、前記ソケットが前記第一ねじと第二ねじを介して接続され、前記ソケットの外側壁上に更に電気接続を実現するための第三ねじが設置される。
【００１７】
好ましくは、前記コネクティングロッドと前記ソケットの接続部分の間に更に防振ゴムパッキンが設置される。
【００１８】
好ましくは、前記放熱器が放熱器本体と前記放熱器本体の外周上に周方向に配置される複数のフィンを有し、前記フィンが前記放熱器の軸方向の縦方向に沿って伸びるように設置される。
【００１９】
好ましくは、更に前記フィン内にスルーホールが設置され、前記光源モジュールの電線が前記スルーホールを介して前記電源接続モジュール内に貫通する。
【００２０】
本考案は、上記の技術手段を採用することによって、従来の技術に比べ、以下の優位性と肯定的な効果を有する。
１）本考案が提供するＬＥＤ照明器具は、放熱器上にセンタースルーホールが設置され、放熱器と接続された基板、レンズユニット、コネクティングロッドにそれぞれセンタースルーホールに設置され、これにより照明器具全体に上下に開放されたスルーホールが形成され、空気の対流と放熱を増強し、照明器具の放熱効果を有効に向上させる。２）本考案が提供するＬＥＤ照明器具は、電源接続モジュール、光源モジュール、レンズモジュールがそれぞれ放熱器上に取り付けられており、その構造はコンパクトで、外観は斬新で美しく、かつ本考案のライト全体の組み立てが容易である。
３）本考案が提供するＬＥＤ照明器具は、光源モジュールの電線が順を追って放熱器フィン上のスルーホール、コネクティングロッドのセンターホールを貫通した後、ソケットに接続され、電線が一貫して密閉空間内に位置することで、極めて良好な保護が得られ、漏電現象の出現を防止することができる。
４）本考案が提供するＬＥＤ照明器具は、レンズユニットの内周と外周がそれぞれ外周用回転カバー、第一シールリング、内周用回転カバー、第二シールリングを介して密封して接続されるものであり、この接続方法はセッティングが容易で、かつ密封効果も良好である。
本考案の上述及びその他の特長と優位性をより明確に理解できるよう、以下、図面を参照しながら、詳細に説明する。
【図面の簡単な説明】
【００２１】
【図１】実施例１におけるＬＥＤ照明器具の正面図である。
【図２】実施例１におけるＬＥＤ照明器具の底面図である。
【図３】実施例１におけるＬＥＤ照明器具の分解図である。
【図４】実施例１におけるＬＥＤ照明器具の放熱器の構造を示す図である。
【図５】実施例２におけるＬＥＤ照明器具の正面図である。
【図６】実施例２におけるＬＥＤ照明器具の底面図である。
【図７】実施例２におけるＬＥＤ照明器具の分解図である。
【考案を実施するための形態】
【００２２】
本考案の実施例の附属図面を参照しながら、以下、更に詳細に本考案について説明する。但し、本考案は多くの形態で実施できるものであり、ここに提示した実施例のみに限定されると解釈すべきではない。また提示したこれらの実施例は、充分かつ完全な公開を実現し、本技術分野の技術者から本考案の範囲につき完全な理解を得るためのものである。なおこれらの図面は、理解し易くするために、層や領域のサイズと相対サイズが拡大されている場合がある。
【００２３】
実施例１
図１−４に示すように、本考案は、放熱器８、電源接続モジュール、光源モジュール６、レンズモジュールを有し、光源モジュール６が放熱器の一端８０１の端面上に設置され、レンズモジュールが光源モジュールをカバーするように設置され、かつ放熱器と接続され、電源接続モジュールが放熱器の他端８０２上に設置される、ＬＥＤ照明装置を提供する。本考案が提供するＬＥＤ照明器具は、電源接続モジュール、光源モジュール、レンズモジュールが放熱器上に取り付けられ、その構造はコンパクトで、外観は斬新かつ美しい。
【００２４】
本実施例において、図１に示すように、放熱器８は類円錐状を呈するが、放熱器８の構造形態は上記の形態のみに限定されないことは言うまでもなく、円柱形又は円錐台型等でも良く、ここでは特に限定しない。
【００２５】
本実施例において、図４に示すように、放熱器は放熱器本体８０３と前記放熱器本体８０３の外周上に周方向に配置される複数のフィン８０４を有し、フィン８０４は放熱に用いられる。更にフィン８０４は放熱器の一端８０１から放熱器の他端８０２に向かって縦方向に沿って伸びるように設置される。
【００２６】
更に好ましくは、その内の一個又は複数のフィン８０４内にその設置方向（垂直方向）に沿ってスルーホールが配置され、光源モジュールの電線がスルーホールを介して電源接続モジュール内に貫通し、これにより、電線が一貫してハウジング内に位置することを保証することに寄与し、極めて良好な保護作用を発揮する。
【００２７】
更に好ましくは、放熱器８の中心軸方向に両端が貫通するセンターホール８０５が設置され、電源接続モジュールの一端がセンターホール８０５内に取り付けられて接続を実現する。
【００２８】
本実施例において、電源接続モジュールはコネクティングロッド１１、ソケット１０を有し、コネクティングロッド１１の一端が放熱器８に接続され、他端がソケット１０に接続される。
【００２９】
コネクティングロッド１１の一端はセンターホール８０５内に取り付けられる。具体的にはコネクティングロッド１１と放熱器８が接続される一端の端部の側壁部上に環状突起１１０１が設けられる。環状突起１１０１はコネクティングロッド１１の側面パネルと垂直に外軸に向かって延伸する。放熱器８のセンターホール８０５光源モジュールから遠い側一端の内側壁上にセンターホールの中心方向に向かって伸びる環状段部が設けられ、コネクティングロッド１１の環状突起１１０１の設置されていない他端がセンターホールの環状段部から遠い側の一端から挿入され、センターホール８０５を貫通し、センターホールの他端から伸び出し、コネクティングロッド１１上に設置される環状突起１１０１が環状段部に嵌合することによって、環状突起１１０１が環状段部上に押圧されるように設置され、かつ接続部品を介して固定的に接続され、これによりコネクティングロッド１１と放熱器８の間の接続と固定が実現される。更に、接続部品は具体的にはねじ等の部品であるが、ここでは特に限定しない。
【００３０】
更に好ましくは、センターホール８０５内に更に装飾カバー７が設置され、装飾カバー７は環状突起１１０１の端面上に押圧されるように設置され、かつ接続部品１２を介して接続固定される。更に、装飾カバー７と環状突起１１０１の間の接続部品、環状突起１１０１と環状段部の間の接続部品は共用することができ、一セットの接続部品のみで装飾カバー７、環状突起１１０１、環状段部を同時に接続する。本考案では、装飾カバー７の設置により、一つの面においてはセンターホールをカバーし、内部構造の露出を防止することで、美観を保つ効果が得られ、別の面においては、装飾カバー７が遮断密封の効果を発揮し、これによりセンターホール８０５とコネクティングロッド１１内部の間に密閉空間を形成し、埃等の進入を防止する。
【００３１】
コネクティングロッド１１の他端がセンターホール８０５から伸び出した後にソケット１０と接続される。具体的には、ソケット１０は一端が開放された蓋状構造を呈し、ソケット１０の内側壁上に第一ねじが設置され、コネクティングロッド１１の他端の外側壁上に第一ねじに対応する第二ねじが設置され、ソケット１０が第一ねじと第二ねじを介して螺合し、ソケット１０の外側壁上に更に第三ねじとして用いられるものが設置され、第三ねじはライト全体を目的場所に取り付けて電気接続するために用いられる。
【００３２】
本実施例において、コネクティングロッド１１とソケット１０の接続部分の間に更に防振ゴムパッキン９が設置され、防振ゴムパッキン９の設置により、ライト全体を目的場所に取り付けた後に防振効果が発揮される。
【００３３】
本実施例中のコネクティングロッド１１、放熱器８、ソケット１０の間の接続方法の構造はコンパクトであり、取り付けも容易である。コネクティングロッド１１、放熱器８、ソケット１０の間の接続方法は上記のみに限定されないことは言うまでもなく、具体的な状況に応じて調整できるものであり、ここでは特に限定しない。
【００３４】
本実施例において、光源モジュール６は基板と基板上に設置される発光素子を有し、基板上には更に電気回路が設置され、電気回路は電線を介して放熱器上のスルーホール、コネクティングロッド１１のセンターホール、ソケット１０のセンターホールを貫通し、末端が（溶接、又はリベット固定の方法で）ソケット１０の密閉端の内側に接続される。更に、発光素子は具体的にはＬＥＤ発光素子である。また基板は環状を呈し、基板用同軸を放熱器の一端８０１の端面上に密着させ、かつねじ１３を介して基板と放熱器８の端面との間の固定的な接続を実現し、基板を放熱器８の端面に密着させることで迅速な放熱に寄与する。
【００３５】
本実施例において、レンズモジュールはレンズ３、外周用回転カバー２、内周用回転カバー１を有し、レンズ３は環状を呈し、レンズ３は光源モジュール６をカバーするように設置され、更にレンズ３の出光面は光沢面である。外周用回転カバー２はレンズ３の外周を固定し、内周用回転カバー１はレンズ３の内周をそれぞれ固定するために用いられる。具体的には、外周用回転カバー２の内側壁上に第四ねじが設置され、放熱器８の外縁に第五ねじが設置され、外周用回転カバー２がレンズの外縁に押圧されるように設置され、かつ第四ねじと第五ねじを介して放熱器８と接続され、これによりレンズ３の外縁の固定が実現される。内周用回転カバー１の外側壁上に第六ねじが設置され、放熱器８のセンターホール８０５の内側壁上に第七ねじが設置される。内周用回転カバー１はレンズ３の内縁を押圧するように設置され、かつ第六ねじと第七ねじを介して放熱器８と接続され、これによりレンズ３の内縁に対する固定が実現される。
【００３６】
更に好ましくは、レンズ３の外縁に第一シール溝が設置され、第一シール溝内に第一シールリング４が設置され、外周用回転カバー２が前記レンズ３の外縁を押圧し、かつ第一シールリング４に圧着される。レンズ３の内縁に第二シール溝が設置され、第二シール溝内に第二シールリング５が設置され、内周用回転カバー１がレンズ３の内縁を押圧し、、かつ第二シールリング５に圧着される。本考案は第一シールリング４と第二シールリング５の設置、並びに内周用回転カバー１、外周用回転カバー２のスピニング固定方式によって、レンズ内外周の密封効果が保証され、ひいてはレンズ内の光源モジュールの密封効果が保証される。
【００３７】
本実施例では、放熱器８の中心部にセンターホール８０５が設置され、同時に放熱器８の両端に設置される基板、レンズユニット、コネクティングロッド１１の中心にそれぞれセンターホール８０５と接続するためのホールが設置され、これにより照明器具全体に上下に開放されたスルーホールが形成され、空気の対流と放熱を増強し、照明器具の放熱効果を有効に向上させる。
【００３８】
実施例２
図５−７に示すように、本実施例は実施例１をベースに改良を加えたものである。
本実施例において、レンズ３’上に複数の突起３０１が設置され、各突起３０１と光源モジュール基板上の発光素子が一対一で対応し、突起３０１が発光素子をカバーするように設置される。本考案は突起３０１の設置によって発光素子に対する配光を実現し、光の照射効果を改善する。
【００３９】
本実施例におけるＬＥＤ照明器具のその他の構造はいずれも実施例１の記述を参照できるものとし、ここでは特に限定しない。
【００４０】
本考案の精神又は範囲を逸脱することなく、本考案が数多くのその他具体的な形態によって実現できることは本技術分野の技術者にとって自明である。以上、本考案の実施例について説明したが、本考案がこれら実施例に限定されるものではなく、請求項に画定される本考案の精神と範囲内において変更と修正を施し得ることは本技術分野の技術者にとって自明である。
【符号の説明】
【００４１】
１−内周用回転カバー
２−外周用回転カバー
３−レンズ
４−第一シールリング  
５−第二シールリング
６−光源モジュール
７−装飾カバー
８−放熱器
８０１−放熱器の一端
８０２−放熱器の他端
８０３−放熱器本体
８０４−フィン
８０５−センターホール
９−防振ゴムパッキン
１０−ソケット
１１−コネクティングロッド
１１０１−環状突起
１２、１３−接続部品
【図１】
0003209691.tif 000003
【図２】
0003209691.tif 000004
【図３】
0003209691.tif 000005
【図４】
0003209691.tif 000006
【図５】
0003209691.tif 000007
【図６】
0003209691.tif 000008
【図７】
0003209691.tif 000009
【手続補正書】
【提出日】平成29年2月6日(2017.2.6)
【手続補正１】
【補正対象書類名】実用新案登録請求の範囲
【補正対象項目名】全文
【補正方法】変更
【補正の内容】
【実用新案登録請求の範囲】
【請求項１】
放熱器、光源モジュール、レンズモジュール、電源接続モジュールを有し、
前記光源モジュールが前記放熱器の一端の端面上に設置され、前記レンズモジュールが前記光源モジュールをカバーするように設置され、かつ前記放熱器と接続され、
前記電源接続モジュールが前記放熱器の他端に設置される、
ことを特徴とするＬＥＤ照明器具。
【請求項２】
前記放熱器の軸方向にセンターホールが設置され、前記センターホールの両端が貫通する、
ことを特徴とする請求項１に記載のＬＥＤ照明器具。
【請求項３】
前記光源モジュールが基板と前記基板上に設置される発光素子を有し、
前記基板が前記放熱器の一端の端面上に固定され、
更に前記基板が環状を呈する、
ことを特徴とする請求項２に記載のＬＥＤ照明器具。
【請求項４】
前記レンズモジュールが、
前記光源モジュールをカバーするように設置され、環状を呈するレンズと、
前記レンズの外周を締め付けるための外周用回転カバーと、
前記レンズの内周を締め付けるための内周用回転カバーと、
を有することを特徴とする請求項２又は３に記載のＬＥＤ照明器具。
【請求項５】
前記外周用回転カバーの内側壁上に第四ねじが設置され、
前記放熱器の外縁に第五ねじが設置され、
前記外周用回転カバーが前記レンズの外縁に押圧されるように設置され、かつ前記第四ねじと第五ねじを介して前記放熱器と接続される、
ことを特徴とする請求項４に記載のＬＥＤ照明器具。
【請求項６】
前記レンズの外縁に第一シール溝が設置され、前記第一シール溝内に第一シールリングが設置され、前記外周用回転カバーが前記レンズの外縁を押圧するように設置され、前記第四と第五ねじを介して固定的に接続される、
ことを特徴とする請求項５に記載のＬＥＤ照明器具。
【請求項７】
前記内周用回転カバーの外側壁上に第六ねじが設置され、前記放熱器のセンターホールの内側壁上に第七ねじが設置され、前記内周用回転カバーが前記レンズの内縁を押圧するように設置され、かつ前記第六ねじと第七ねじを介して前記放熱器と接続される、
ことを特徴とする請求項４又は請求項５又は請求項６に記載のＬＥＤ照明器具。
【請求項８】
前記レンズの内縁に第二シール溝が設置され、前記第二シール溝内に第二シールリングが設置され、前記内周用回転カバーが前記レンズ内縁を押圧するように設置され、前記第六ねじと第七ねじを介して固定的に接続される、
ことを特徴とする請求項７に記載のＬＥＤ照明器具。
【請求項９】
前記レンズ上に複数の突起が設置され、前記突起と前記光源モジュール上の発光素子が一対一で対応し、前記突起が前記発光素子をカバーするように設置され配光する、
ことを特徴とする請求項４に記載のＬＥＤ照明器具。
【請求項１０】
前記電源接続モジュールが、
一端が前記センターホール内に設置され、中空構造であって、中空部をルーティング又は部品の設置に用いることが可能なコネクティングロッドと、
前記センターホールに伸びる前記コネクティングロットの他端と接続されるソケットと、を含む、
ことを特徴とする請求項２に記載のＬＥＤ照明器具。
【請求項１１】
前記センターホールの前記光源モジュールから遠い側の一端の内側壁上にホールの中心方向に向かって伸びる環状段部が設置され、
前記コネクティングロッドの一端の端部に外周に向かって伸びる環状突起が設置され、
前記コネクティングロッドの他端がセンターホールの環状段部から遠い側の一端から挿入され、
前記コネクティングロッドの一端上の環状突起が前記環状段部に嵌合し、かつ接続部品を介して固定される、
ことを特徴とする請求項１０に記載のＬＥＤ照明器具。
【請求項１２】
前記電源接続モジュールが更に装飾カバーを有し、前記装飾カバーが前記センターホール内に設置され、前記装飾カバーが前記環状突起の端面上に押圧されるように設置され、かつ接続部品を介して接続される、
ことを特徴とする請求項１１に記載のＬＥＤ照明器具。
【請求項１３】
前記ソケットが一端が開放される蓋状構造を呈し、
前記ソケットの内側壁上に第一ねじが設置され、
前記コネクティングロッドの他端の外側壁上に前記第一ねじに対応する第二ねじが設置され、
前記ソケットが前記第一ねじと第二ねじを介して接続され、
前記ソケットの外側壁上に更に電気接続を実現するための第三ねじが設置される、
ことを特徴とする請求項１０に記載のＬＥＤ照明器具。
【請求項１４】
前記コネクティングロッドと前記ソケットの接続部分の間に、更に防振ゴムパッキンが設置される、
ことを特徴とする請求項１０に記載のＬＥＤ照明器具。
【請求項１５】
前記放熱器が放熱器本体と前記放熱器本体の外周上に周方向に配置される複数のフィンを有し、
前記フィンが前記放熱器の軸方向の縦方向に沿って伸びるように設置される、
ことを特徴とする請求項１に記載のＬＥＤ照明器具。
【請求項１６】
更に前記フィン内にスルーホールが設置され、前記光源モジュールの電線が前記スルーホールを介して前記電源接続モジュール内に貫通する、
ことを特徴とする請求項１５に記載のＬＥＤ照明器具。
【手続補正２】
【補正対象書類名】明細書
【補正対象項目名】００１４
【補正方法】変更
【補正の内容】
【００１４】
好ましくは、前記センターホールの光源モジュールから遠い側の一端の内側壁上にホールの中心方向に向かって伸びる環状段部が設置され、前記コネクティングロッドの一端の端部に外周に向かって伸びる環状突起が設置され、前記コネクティングロッドの他端がセンターホール環状段部から遠い側の一端から挿入され、前記コネクティングロッドの一端上の環状突起が前記環状段部に嵌合し、かつ接続部品を介して固定される。
【手続補正３】
【補正対象書類名】明細書
【補正対象項目名】００２９
【補正方法】変更
【補正の内容】
【００２９】
コネクティングロッド１１の一端はセンターホール８０５内に取り付けられる。具体的にはコネクティングロッド１１と放熱器８が接続される一端の端部の側壁部上に環状突起１１０１が設けられる。環状突起１１０１はコネクティングロッド１１の側面パネルと垂直に外軸に向かって延伸する。放熱器８のセンターホール８０５の光源モジュールから遠い側一端の内側壁上にセンターホールの中心方向に向かって伸びる環状段部が設けられ、コネクティングロッド１１の環状突起１１０１の設置されていない他端がセンターホールの環状段部から遠い側の一端から挿入され、センターホール８０５を貫通し、センターホールの他端から伸び出し、コネクティングロッド１１上に設置される環状突起１１０１が環状段部に嵌合することによって、環状突起１１０１が環状段部上に押圧されるように設置され、かつ接続部品を介して固定的に接続され、これによりコネクティングロッド１１と放熱器８の間の接続と固定が実現される。更に、接続部品は具体的にはねじ等の部品であるが、ここでは特に限定しない。